(57)【要約】【課題】高速録／再の情報記憶装置として、近年偏荷重ディスクに対する振動対策に動吸振器を用いた装置が作られているが、通常のメカに加えて吸振用のシャーシ、ゴム、それを固定するための固定ピンが別途必要になり、装置の小型化の妨げとなると同時にコストｕｐになっている。特に、ゴム、固定ピンはそれぞれ３〜４本必要となり、単品コスト／金型費用のみならず、工数のｕｐにもなっている。【解決手段】フローティングゴムと吸振ゴムを同軸状に形成することで吸振ゴム用の固定ピンを省くことが可能となり、またフローティングゴムと吸振ゴムを一体化することで、吸振ゴムを別途設ける必要がなくなる。【選択図】  図３
2004259312.tif 000002
【特許請求の範囲】
【請求項１】
情報記憶媒体を保持する保持手段と、情報記憶媒体の情報を読み取る、または読み書きする読取手段と、前記保持手段または前記読取手段の位置を移動させて情報記憶媒体における情報を読み取る、または読み書きする位置を変える送り手段とを備えたトラバースと、前記トラバースに設けられて前記トラバースを弾性的に支持する第一の弾性支持手段と、前記トラバースの振動を動吸振する荷重手段と、前記荷重手段を弾性的に弾性的に支持する第二の弾性支持手段とを有し、前記第一の弾性支持手段と前記第二の弾性支持手段が同軸上に備えられたことを特徴とする情報記憶装置。
【請求項２】
前記第一の弾性支持手段が第一の弾性部と、前記トラバースを取付ける第一の取付部より構成され、前記第二の弾性支持手段が第二の弾性部と、前記荷重手段を取付ける第二の取付部より構成され、前記第一の取付部または前記第二の取付部どちらか一方に位置決め部を有し、前記第一の弾性部または前記第二の弾性部の他方の内径部と前記位置決め部が係合することを特徴とする請求項１記載の情報記憶装置。
【請求項３】
前記第一の弾性支持手段及び前記第二の弾性支持手段が一体的に形成された第三の弾性支持手段を有することを特徴とする請求項１記載の情報記憶装置。
【請求項４】
前記第三の弾性支持手段が、第三の弾性部と、第四の弾性部と、前記トラバースまたは前記荷重手段の一方を取付ける第三の取付部で構成され、前記第三の弾性部と前記第四の弾性部の間に前記トラバースまたは前記荷重手段の他方を取付けたことを特徴とする請求項３記載の情報記憶装置。
【請求項５】
前記第一の弾性支持手段と前記第二の弾性支持手段が同軸上に固定される固定ピンをさらに有し、前記固定ピンと前記第二の弾性支持手段の間に隙間を有することを特徴とする請求項２記載の情報記憶装置。
【請求項６】
前記第三の弾性部と前記第四の弾性部が同軸上に固定される固定ピンをさらに有し、前記固定ピンと前記第三の取付部の間に隙間を有することを特徴とする請求項４記載の情報記憶装置。
【発明の詳細な説明】
【０００１】
【発明の属する技術分野】
本発明はディスクの重量のアンバランスに起因する不要振動を抑制することのできる情報記憶装置に関するものである。
【０００２】
【従来の技術】
近年、ディスクを記憶媒体とする情報記憶装置はコンピュータ周辺機器（ＣＤ−ＲＯＭ、ＭＯ、ＰＣ等）、ＡＶ機器（ＣＤ、ＶＣＤ、ＤＶＤ等）として等の分野の情報記憶再生装置として普及している。また、ＣＤ−ＲＯＭに代表されるようにデータ転送速度の高速化の要望が高まり、これに伴ってディスクの回転数が高速化してきている。一方、ＤＶＤのような貼りあわせディスクにおける接着剤の厚みムラや記録したＣＤ−Ｒへのラベル貼付等に伴う重量のアンバランス（偏重心）が存在しており、ディスクが回転すると偏重心による遠心力に起因する振動が発生する。遠心力は回転数の２乗で増大するため、高速化に伴い振動が増大し安定した記録／再生へを困難にしている。
【０００３】
上記のような問題点に対し従来はメインシャーシにダンパを介して固定ネジで取付けられたトラバース上に、第２のダンパを介して動吸振子を第２の固定ネジで取付けた構成をもつディスク装置が考案されている。これによると、第２のダンパと動吸振子で構成された動吸振器の共振周波数とディスクの回転周波数と一致した所で、遠心力によるトラバースの振動の位相と動吸振子の振動の位相が逆位相になるため、トラバースの振動が低減されるという原理によるものである。この構成を用いて、ディスク回転によるトラバースの振動が一番厳しくなる周波数にダンパと動吸振子で構成された動吸振器の共振周波数を設定することで高速回転による記録／再生を安定化させているものがある（例えば特許文献１参照。）。
【０００４】
【特許文献１】
特開２００１−２５６７６２号公報
【０００５】
【発明が解決しようとする課題】
しかしながら、以上のように構成された従来の情報記憶装置では、トラバースを外部振動から遮断するためとダンパとその固定ピンの他に、動吸振器のためのダンパとその固定ピンがそれぞれ３〜４個別途必要となり、余分なスペース（平面積）、部品コスト、金型、工数が必要で、小型化、コストダウンの障害となるという問題を有していた。
【０００６】
本発明は上記問題点に鑑み、吸振ゴム９０９の取付けスペースの低減と、吸振ゴム固定ピン９１０の低減を図り、小型化、コストダウンを図った情報記憶装置を提供するものである。
【０００７】
【課題を解決するための手段】
上記問題点を解決するために、本発明の請求項１に記載の発明は、情報記憶媒体を保持する保持手段と、情報記憶媒体の情報を読み取る、または読み書きする読取手段と、保持手段または読取手段の位置を移動させて情報記憶媒体における情報を読み取る、または読み書きする位置を変える送り手段とを備えたトラバースと、トラバースに設けられてトラバースを弾性的に支持する第一の弾性支持手段と、トラバースの振動を動吸振する荷重手段と、荷重手段を弾性的に支持する第二の弾性支持手段とを有し、第一の弾性支持手段と第二の弾性支持手段が同軸上に備えられたことを特徴とするものである。
【０００８】
この発明によれば、動吸振を行う第二の弾性支持手段のスペースを別途設ける必要がなく、また、第一の弾性支持手段及び第二の弾性支持手段の固定に固定ピンが必要な場合、第一の弾性支持手段を固定する固定ピンで兼用して第二の弾性支持手段を固定できるため、別途固定ピンを設ける必要がなく、員数削減、金型費用削減、工数削減ができコストダウンが図れると同時に第二の弾性支持手段が占めるスペースを平面積で削減できるいう効果を有する。
【０００９】
請求項２に記載の発明は、第一の弾性支持手段と第二の弾性支持手段をそれぞれ弾性部と取付部で構成し、一方のゴムの取付部に弾性的な円筒を構成し、もう一方のゴムの弾性部内径と係合するように構成することで、簡単に第一の弾性支持手段と第二の弾性支持手段を同軸上に実現できるという効果を有する。
【００１０】
請求項３に記載の発明は、第一の弾性支持手段及び第二の弾性支持手段を一体的に形成することにより、弾性支持手段の金型費用とコストを約半分に低減できるという効果を有する。
【００１１】
請求項４に記載の発明は、弾性支持手段を第三の弾性部と、第四と弾性部と、トラバースまたは荷重手段の一方を取付ける第三の取付部で構成し、第三の弾性部と第四の弾性部の間にトラバースまたは荷重手段のもう一方を取付けたことで簡単な構成で第一の弾性支持手段と第二の弾性支持手段を一体化した弾性支持手段を実現できるという効果を有する。
【００１２】
請求項５に記載の発明は、第一の弾性支持手段と第二の弾性支持手段が同軸上に固定される固定ピンをさらに有し、固定ピンと第二の弾性支持手段の間に隙間を有することで、荷重手段がシャーシより遠い場合は荷重手段の重量を小さくでき、トラバースがシャーシより遠い場合は外部振動からの遮断特性を良くできると共に、動吸振器の設定が簡易に実現できるという効果を有する。
【００１３】
請求項６に記載の発明は、第三の弾性部と第四の弾性部が同軸上に固定される固定ピンをさらに有し、固定ピンと第三の取付部の間に隙間を有することで、荷重手段がシャーシより遠い場合は荷重手段の重量を小さくでき、トラバースがシャーシより遠い場合は外部振動からの遮断特性を良く出きると共に、動吸振器の設定が簡易に実現できるという効果を有する。
【００１４】
【発明の実施の形態】
以下に本発明の情報記憶装置の実施の形態について、図面を参照しながら説明する。
【００１５】
（実施の形態１）
図１は本発明の実施の形態１における情報記憶装置の構成を示すものである。図１において、２００は情報が記録されたディスクであり、ディスク２００は後述のトラバースブロックにおいてディスクモータ２の軸に圧入されたターンテーブル３に載置されおり、ディスクモータ２により回転する。４は回転したディスクの情報を再生、または録再するピックアップである。１はディスクモータ２、ピックアップ４等のトラバース部品が組み込まれたトラバースシャーシであり、このトラバースシャーシ１のブロックをトラバースブロックと呼ぶ。トラバースシャーシ１には請求項記載の第一の弾性支持手段であるフローティングゴム５が取付けられている。
【００１６】
図２は実施の形態１のフローティングゴム５及び吸振ゴム６の斜視図である。図２を用いてフローティングゴム５及び吸振ゴム６の構成を示す。フローティングゴム５は弾性的で振動を減衰させる請求項記載の第一の弾性部である弾性部５ａと、弾性部５ａと協同してトラバースシャーシ１を挟み込む取付上部５ｂと、トラバースシャーシ１の水平方向を位置決めすると同時に弾性部５ａと取付上部５ｂをつなぐ取付下部５ｃとから構成されており、また取付上部５ｂの上部には円筒状の係合部５ｄが設けられている。この取付上部５ａ、取付下部５ｂが請求項記載の第一の取付部であり、係合部５ｄが請求項記載の記載の位置決め部である。係合部５ｄはフローティングゴム５において同軸上に形成されて後述の吸振ゴムの内径部と隙間なく係合して吸振ゴムを位置決めする。６は請求項記載の荷重手段であるウエイトシャーシ７に取付けられた請求記載の第二の弾性支持手段である吸振ゴムである。吸振ゴム６は弾性的で振動を減衰させる弾性部６ａと、弾性部６ａと協同してウエイトシャーシ７を挟み込む取付上部６ｂと、ウエイトシャーシ７を水平方向に位置決めすると同時に弾性部６ａと取付上部６ｂをつなぐ取付下部６ｃから構成されている。吸振ゴム６は弾性部６ａの内径部６ｄでフローティングゴム５の係合部５ｄと同軸上に係合している。また、フローティングゴム５及び吸振ゴム６は同軸上に孔が貫通しており、この孔を通して固定ピン８により本体シャーシ９に挟まれて固定されている。図２に示すように、吸振ゴム６と固定ピン８が当接する取付上部６ｂは弾性的で振動を減衰させる形状であり、吸振ゴム６は水平方向で隙間を持って取り付いており、固定ピン８と接していない。
【００１７】
以上のように構成された情報記憶装置について、以下その動作について説明する。まず、ディスクモータ２を回転させて、ターンテーブル３に載置されたディスク２００を回転させ、ディスクトラック方向の情報をピックアップ４により読み取る。さらに、図示せぬピックアップ送り機構により、ディスク半径方向にピックアップ４を移動することにより、ディスク上の任意トラックの情報を読み取ることが可能となる。
【００１８】
この時、ディスク２００が偏荷重を持っていると、偏荷重量に比例しかつディスク回転数の２乗に比例して遠心力が増加する。特にウエイトシャーシ７及び吸振ゴム６がない場合、トラバースブロックとフローティングゴム５で構成される振動系の共振周波数とディスク回転周波数が一致するとトラバースブロックが大きく振動し、サーボ系を乱して最悪の場合サーボがはずれて読み取り不能となる。従来は外部振動遮断特性を犠牲にしてフローティングの共振周波数を使用するディスク回転周波数より十分高い所に設定していたが、高倍速化が進み許容できる外部振動遮断特性を超えてきた。そこで、フローティングの共振周波数は従来通りの外部振動を十分遮断できる周波数に設定し、ウエイトシャーシ７及び吸振ゴム６でトラバースブロックに動吸振器を構成している。このウエイトシャーシ７と吸振ゴム６で構成される共振周波数はトラバースブロックのフローティングの水平方向の共振周波数でトラバースブロックの振動を小さくなるように最適なセッティングを行っている。セッティングはフローティングの水平方向の共振周波数をｆ０とし、ウエイトシャーシ７の重さをＭ、吸振バネ６のバネ定数Ｋとした時、（数１）を概略満たすようにする。このセッティングした周波数での振動の状態を説明する。
【００１９】
【数１】
2004259312.tif 000003
【００２０】
ディスク２００が回転して遠心力を発生しトラバースブロックが遠心力で引っ張られ振動しようとする。この時、ウエイトシャーシ７は逆位相で振動を行っている。吸振ゴム６は水平方向で固定ピン８と隙間を持って取付けられているためウエイトシャーシ７は固定ピン８に対して水平方向で自由に振動している。また吸振ゴム６は弾性部６ａの内径部６ｄでフローティングゴム５の円筒状の係合部５ｄと係合しており、係合部５ｄはトラバースシャーシ１に取り付いている取付上部５ｂと一体となっているため、ウエイトシャーシ７の振動による力は弾性部６ａを介してトラバースシャーシ１に伝わる。よって、ディスク２００と逆位相のウエイトシャーシ７の振動による反力は吸振ゴム６、及びフローティングゴム５を介してトラバースブロックを遠心力と逆方向で引っ張るため、トラバースブロックの振動が小さくなる。よって、フローティングゴム５がディスク回転周波数より高い周波数特性に設定されていないにもかかわらず大きな振動を発生しない。
【００２１】
次に、外部から振動が本体シャーシ９に入った場合、フローティングゴム５は外部振動十分遮断できる特性に設定しているので、高周波の振動は十分にフローティングゴム５の弾性部５ａで吸収されトラバースシャーシ１に伝達されない。また、大きな衝撃が本体シャーシ９に入っても上下方向、水平方向とも本体シャーシ９に固定されている固定ピン８で受け止められてはずれることがない。特に本発明の実施の形態では、フローティングゴム５と吸振ゴム６が同軸上に構成されているため、吸振ゴム６のスペースを別途とる必要がなく装置が小さく構成でき、また、固定ピン８でフローティングゴム５と吸振ゴム６を一緒に取付けているため、別途吸振ゴム６を止める固定ピンが不要となり、コストダウンが可能である。
【００２２】
以上のように、動吸振器を用いた情報記憶装置において、フローティングゴム５と吸振ゴム６を同軸上に構成することにより、余分なスペースをとることなく、また、固定ピン８で吸振ゴム６の取付けをフローティングゴム５の固定ピン８と兼用できるためコストダウンできる。これにより小型で安く、高品で安定した性能の高速録再可能な情報記憶装置が実現可能となる。
【００２３】
また、固定ピン８と吸振ゴム６が隙間を持って取付けられているためウエイトシャーシ７は固定ピン８に対して水平方向で自由に振動でき、その振動の反力をすべてトラバースシャーシ１に伝えるため、ウエイトシャーシ７の質量が小さくでき小型化が可能である。
【００２４】
なお、本実施の形態ではトラバースシャーシ１、フローティングゴム５の上に吸振ゴム６、ウエイトシャーシ７を設けたが、ウエイトシャーシ７の重量を十分大きく取れる場合、上下を逆にして、いわば本体シャーシ９に吸振ゴム６、ウエイトシャーシ７を構成して、ウエイトシャーシ７、吸振ゴム６上にフローティングゴム５、トラバースシャーシ１を構成し、フローティングゴム５と固定ピン８の隙間を設けると、フローティング特性が高域で通常−２０ｄＢの傾きで落ちる所が、−４０ｄＢの傾きで落ちるため、外部からの遮断特性に優れた動吸振モデルが構成できる。この時のこのウエイトシャーシ７と吸振ゴム６で構成される共振周波数の最適なセッティングは、フローティングの水平方向の共振周波数をｆ０とし、ウエイトシャーシ７の重さをＭ、フローティングゴム５のバネ定数をＫｆ、吸振バネ６のバネ定数Ｋｄとした時、（数２）を概略満たすとよい。
【００２５】
【数２】
2004259312.tif 000004
【００２６】
また、本実施の形態ではフローティングゴム５と吸振ゴム６の係合はフローティングゴム５の係合部５ｄと吸振ゴム６の弾性部６ａの内径部６ｄで行ったが、逆に吸振ゴム６側に係合部を設けてフローティングゴム５の取付上部５ｂの内径部で行ってもかまわず、また、係合部５ｄの形状は円筒状でなく、円錐状、歯状等その限りではない。
【００２７】
また、ウエイトシャーシ７及びトラバースブロックの荷重が大きく、ゴムのヘタリによりトラバースシャーシ１の高さが経時的に下がる場合、周波数特性を合わせた上でウエイトシャーシ７とトラバースシャーシ１、または、トラバースシャーシ１と本体シャーシ９、またはウエイトシャーシ７と本体シャーシ９の間、またはすべての間にコイルバネ等の金属バネを併用してもかまわない。
【００２８】
また、本実施の形態は軸中心を持つフローティングゴム５、吸振ゴム６の中央に貫通孔があり固定ピン８でこの孔を通して固定しているが、フローティングゴム５、吸振ゴム６は角形状でも良く、固定ピン８の代わりにウエイトシャーシ７またはトラバースシャーシ１に被さるように本体シャーシ９に爪またはネジの座を設けても良く、固定ピンがなくてもかまわない。
【００２９】
（実施の形態２）
以下に本発明の実施の形態２の情報記憶装置について、図面を参照しながら説明する。
【００３０】
図３は本発明の実施の形態２における情報記憶装置の構成を示すものである。図３において、２００は情報が記録されたディスクであり、ディスク２００は後述のトラバースブロックにおいてディスクモータ１０２の軸に圧入されたターンテーブル１０３に載置されおり、ディスクモータ１０２により回転する。１０４は回転したディスクの情報を再生、または録再するピックアップである。１０１はディスクモータ１０２、ピックアップ１０４等のトラバース部品が組み込まれたトラバースシャーシであり、このトラバースシャーシ１０１のブロックをトラバースブロックと呼ぶ。トラバースシャーシ１０１には請求項記載の第三の弾性支持手段であるフローティングゴム１０５が取付けられている。
【００３１】
図４は実施の形態２のフローティングゴム１０５及び吸振ゴム１０６の斜視図である。図４を用いてフローティングゴム１０５及び吸振ゴム１０６の構成を示す。フローティングゴム１０５は弾性的で振動を減衰させる請求項記載の第三の弾性部である弾性部１０５ａと、弾性部１０５ａと協同してトラバースシャーシ１０１を挟み込む請求記載の第四の弾性部である弾性部１０５ｂと、トラバースシャーシ１０１の水平方向の位置決めすると同時に弾性部５ａと弾性部５ｂをつなぐ連結部１０５ｃと、弾性部１０５ｂと協同して請求項記載の荷重手段であるウエイトシャーシ１０７を挟み込む取付上部１０５ｄと、ウエイトシャーシ１０７の水平方向を位置決めすると同時に弾性部１０５ｂと取付上部１０５ｄをつなぐ取付下部１０５ｅより構成される。フローティングゴム１０５は中央に孔が貫通しておりこの孔を通して固定ピン１０８により、本体シャーシ１０９に挟まれて固定されている。固定ピン１０８が当接する取付上部１０５ｄは弾性的で振動を減衰させる形状であり、また、取付上部１０５ｄ及び取付下部１０５ｅは水平方向で固定ピン１０８と隙間がある状態で取り付いている。
【００３２】
以上のように構成された情報記憶装置について、以下その動作について説明する。まず、ディスクモータ１０２を回転させて、ターンテーブル１０３に載置されたディスク２００を回転させ、ディスクトラック方向の情報をピックアップ１０４により読み取る。さらに、図示せぬピックアップ送り機構により、ディスク半径方向にピックアップ１０４を移動することにより、ディスク２００上の任意トラックの情報を読み取ることが可能となる。
【００３３】
この時、実施の形態１と同様に、（数１）を概略満たすような最適にセッティングした周波数での振動の状態を説明する。ディスク２００が回転して遠心力を発生しトラバースブロックが遠心力で引っ張られ振動しようとする。この時、動吸振器を最適のセッティングにするとウエイトシャーシ１０７は逆位相で振動する。図４に示すように、取付上部１０５ｄ、取付下部１０５ｅは水平方向で固定ピン１０８と隙間を持って取付けられているためウエイトシャーシ１０７は固定ピン１０８に対して水平方向で自由に振動している。また弾性部１０５ｂはトラバースシャーシ１０１の水平方向を位置決めしている連結部１０５ｃと一体になっているため、ウエイトシャーシ１０７の振動による力は弾性部１０５ｂを介してトラバースシャーシ１０１に伝わる。よって、ディスク２００と逆位相のウエイトシャーシ７１０７の振動による反力は、弾性部１０５ｂを介してトラバースブロックを遠心力と逆方向で引っ張るため、トラバースブロックの振動が小さくなる。よって、弾性部１０５ａがディスク回転周波数より高い周波数特性に設定されていないにもかかわらず大きな振動を発生しない。
【００３４】
次に、外部から振動が本体シャーシ１０９に入った場合、フローティングゴム１０５は外部振動十分遮断できる特性に設定しているので、高周波の振動は十分にフローティングゴム１０５の弾性部１０５ａで吸収されトラバースシャーシ１０１に伝達されない。
また、大きな衝撃が本体シャーシ１０９に入っても上下方向、水平方向とも本体シャーシ１０９に固定されている固定ピン１０８で受け止められてはずれることがない。
【００３５】
特に本発明の実施の形態では、フローティングを行う弾性部１０５ａと動吸振を行う１０５ｂが一体的に形成されているため、動吸振ゴム及びその固定ピンを別途設ける必要がなく、スペース的にもまたコスト的にも削減することが可能となる。
【００３６】
以上のように、動吸振器を用いた情報記憶装置において、フローティングを行う弾性部１０５ａと動吸振を行う弾性部１０５ｂを一体的に形成することにより、動吸振ゴム及びその固定ピンを別途も受けることなく、スペース的に小さくコストがかからない動吸振器が構成できる。これにより小型で安く、高品で安定した性能の高速録再可能な情報記憶装置が実現可能となる。
【００３７】
また、固定ピン１０８と取付上部１０５ｄ及び取付下部１０５ｅは隙間を持って取付けられているためウエイトシャーシ１０７は固定ピン１０８に対して水平方向で自由に振動でき、その振動の反力をすべてトラバースシャーシ１０１に伝えるため、ウエイトシャーシ１０７の質量が小さくでき小型化が可能である。
【００３８】
なお、本実施の形態ではトラバースシャーシ１０１の上にウエイトシャーシ１０７を設けたが、ウエイトシャーシ１０７の重量を十分大きく取れる場合、上下を逆にして、いわば本体シャーシ１０９の上に弾性部１０５ａを挟んでウエイトシャーシ１０７を設け、ウエイトシャーシ１０７の上に弾性部１０５ｂを挟んでトラバースシャーシ１０１を設け、固定ピン１０８と取付上部１０５ｄ及び取付下部１０５ｅの隙間を設けると、フローティング特性が高域で通常−２０ｄＢの傾き落ちる所が、−４０ｄＢの傾きで落ちるため、外部からの遮断特性に優れた動吸振モデルが構成できる。この時のこのウエイトシャーシ１０７と弾性部１０５ｂで構成される共振周波数の最適なセッティングは、フローティングの水平方向の共振周波数をｆ０とし、ウエイトシャーシ１０７の重さをＭ、弾性部１０５ａのバネ定数をＫａ、弾性部１０５ｂのバネ定数Ｋｂとした時、（数２）を概略満たすとよい。
【００３９】
また、ウエイトシャーシ１０７及びトラバースブロック１１１の荷重が大きく、ゴムのヘタリによりトラバースシャーシ１０１の高さが経時的に下がる場合、周波数特性を合わせた上でウエイトシャーシ１０７とトラバースシャーシ１０１、または、トラバースシャーシ１０１と本体シャーシ１０９、またはウエイトシャーシ１０７と本体シャーシ１０９の間、またはすべての間にコイルバネ等の金属バネを併用してもかまわない。
【００４０】
また、本実施の形態は軸中心を持つフローティングゴム１０５の中央に貫通孔があり固定ピン１０８でこの孔を通して固定しているが、フローティングゴム１０５は角形状でも良く、固定ピン１０８の代わりにウエイトシャーシ１０７またはトラバースシャーシ１０１に被るように本体シャーシ１０９に爪またはネジの座を設けても良く、また固定ピンがなくてもかまわない。
【００４１】
【発明の効果】
以上のように本発明によれば、スペース的、コスト的に削減できる動吸振器が構成でき、小型化、低コストで品位、性能が安定した高速録再ができる情報記憶装置が可能となる。
【図面の簡単な説明】
【図１】本発明の実施の形態１における情報記憶装置の構成図
【図２】本発明の実施の形態１におけるフローティングゴム及び吸振ゴムの斜視図
【図３】本発明の実施の形態２における情報記憶装置の構成図
【図４】本発明の実施の形態２におけるフローティングゴム及び吸振ゴムの斜視図
【符号の説明】
１  ，１０１シャーシ
２  ，１０２ディスクモータ
３  ，１０３ターンテーブル
４  ，１０４ピックアップ
５  ，１０５フローティングゴム
５ａ，６ａ，１０５ａ，１０５ｂ  弾性部
５ｂ，６ｂ，１０５ｄ  取付上部
５ｃ，６ｃ，１０５ｅ  取付下部
５ｄ  係合部
６  吸振ゴム
６ｄ  内径部
７，１０７  ウエイトシャーシ
８  ，１０８  固定ピン
９  ，１０９  本体シャーシ
２００  ディスク
【図１】
2004259312.tif 000005
【図２】
2004259312.tif 000006
【図３】
2004259312.tif 000007
【図４】
2004259312.tif 000008